(57)【要約】【課題】簡単かつ安価な構成で、電源電圧が変動した場合でも、外部機器の様々な状態を正確に検出する。【解決手段】開示される火災受信機は、非常放送設備２４が接続された外部機器接続端子Ｔ１，Ｔ２の外部機器接続端子Ｔ２を仮想短絡状態に設定するための仮想短絡回路５２を有し、非常放送設備２４の状態を検出する状態検出回路３７と、仮想短絡回路５２により仮想短絡状態に設定したときに状態検出回路３７からＡ値を検出し、仮想短絡回路５２により仮想短絡状態に設定しないときに状態検出回路３７からＢ値を検出し、Ｂ値をＡ値で除算した結果であるＣ値に基づいて、外部機器接続端子Ｔ１，Ｔ２の間の短絡状態、外部機器接続端子Ｔ１，Ｔ２の少なくとも一方と非常放送設備２４との間の断線状態、非常放送設備２４の作動状態、非常放送設備２４の非作動状態を判定する制御部３１とを備えている。【選択図】        図１
2004302966.tif 000002
【特許請求の範囲】
【請求項１】
外部機器が接続された２つの端子間を仮想短絡状態に設定するための仮想短絡回路を有し、前記外部機器の状態を検出する状態検出回路と、
前記仮想短絡回路により前記仮想短絡状態に設定したときに前記状態検出回路から第１の電圧値を検出し、前記仮想短絡回路により前記仮想短絡状態に設定しないときに前記状態検出回路から第２の電圧値を検出し、前記第１及び第２の電圧値に基づいて、前記２つの端子間の短絡状態、前記端子の少なくとも一方と前記外部機器との間の断線状態、前記外部機器の作動状態、前記外部機器の非作動状態を判定する制御部と
を備えていることを特徴とする火災受信機。
【請求項２】
前記外部機器は、マイクスイッチを備え、音声メッセージにより火災の報知、避難誘導を行うための非常放送設備であって、前記マイクスイッチが押下されるときには第１の出力電圧値を出力し、前記マイクスイッチが押下されないときには第２の出力電圧値を出力することを特徴とする請求項１記載の火災受信機。
【請求項３】
コンピュータを請求項１又は２記載の前記制御部として機能させるための火災受信機における外部機器の状態検出プログラム。
【発明の詳細な説明】
【０００１】
【発明の属する技術分野】
この発明は、非常放送設備等の外部機器の状態を検出する機能を備えた火災受信機及び火災受信機における外部機器の状態検出プログラムに関する。
【０００２】
【従来の技術】
近年建設されたビルには、火災警報システムが設けられているものが多い。この火災警報システムは、火災感知器が火災の発生を感知して火災感知信号を出力すると、制御盤である火災受信機が火災感知信号を受信し、火災が発生した旨を表示するとともに、地区ベル等の音響装置を鳴動させて建物の中にいる人々に報知するものである。また、従来の火災受信機の中には、外部機器として接続される非常放送設備と連動する機能を備えたものがあり、火災感知器からの火災感知信号を受信すると、この非常放送設備を作動させて音声メッセージによって火災を報知したり、避難を誘導したりするようにしている。
【０００３】
ところが、地区ベルの鳴動時に非常放送設備を同時に作動させると、非常放送設備からの音声メッセージが、地区ベルの鳴動によって聞き取りにくくなるため、地区ベルの鳴動を停止させる必要がある。そこで、従来の火災受信機１の中には、図５に示すように、地区音響鳴動停止装置５を備え、非常放送設備１２のマイクスイッチ１２ａが押下された場合には、地区音響鳴動停止装置５がリレー制御回路１５を駆動して制御接点１４を開くことにより、地区ベル７への電源の供給を遮断させて地区ベル７の鳴動を停止できるようにしているものがある（例えば、特許文献１参照。）。
【０００４】
【特許文献１】
特開平１０−１３４２６３号公報（第１−３頁、図１）
【０００５】
【発明が解決しようとする課題】
ところが、上記した従来の火災受信機１は、マイクスイッチ１２ａのオン・オフの状態を検出しているに過ぎず、信号線１１Ａ及び信号線１１Ｂの断線状態、非常放送設備接続端子１３間の短絡状態、あるいは中間的な状態等、他の状態を検出することができない。このため、信号線１１Ａ又は信号線１１Ｂが断線している場合には火災発生時に地区ベル７の鳴動を停止して非常放送をすることができない、非常放送設備接続端子１３間が短絡している場合には地区ベル７が鳴動しないなど、誤動作するおそれがある。また、火災受信機１の使用者の中には、非常放送設備１２の状態をより正確に検出したいと要望する者があるが、上記した従来の火災受信機１ではそのような要望に応えることができない。
【０００６】
また、上記した従来の火災受信機は、通常、１００Ｖの商用電源を電源回路で整流して所定電圧の直流電圧を生成し、各部に供給している。この商用電源の交流電圧値は、例えば、真夏時や真冬時にはエアーコンディショナー等が一斉に使用されるなど、電源の需要状況に応じて変動する。また、火災受信機は、消防法上、バッテリを備えることが義務づけられているが、このバッテリは自然放電又は経時変化によりその出力電圧値が低下してしまう。
【０００７】
ところが、上記した従来の火災受信機１は、図５から分かるように、電源と接地との間に、ヒューズ４、地区音響リレー３Ａ、２線式の地区音響出力線２の一方の出力線２Ａ、給電線６Ａ、リレー制御回路１５のリレー１５ａ及び雑音防止用コンデンサ１７が直列接続されて挿入されている。したがって、上記した電源電圧の変動の影響を直接受けるため、火災発生時にマイクスイッチ１２ａが押下されても地区ベル７の鳴動を停止させて非常放送をすることができないおそれがある。
【０００８】
この点、電源回路を電源変動の影響を受けない回路に構成したり、リレー１５ａ及び雑音防止用コンデンサ１７に高精度のものを使用することが考えられるが、その場合には地区音響鳴動停止装置５の価格が高くなってしまう。以上説明した不都合は、非常放送設備１２を火災受信機１に接続する場合に限らず、他の外部機器を火災受信機１に接続する場合にも同様に発生する。
【０００９】
この発明は、上述のような課題を解決するためになされたもので、その目的は、簡単かつ安価な構成で、電源電圧が変動した場合であっても、外部機器の様々な状態を正確に検出することができる火災受信機及び火災受信機における外部機器の状態検出プログラムを得るものである。
【００１０】
【課題を解決するための手段】
上記課題を解決するために、請求項１記載の発明に係る火災受信機は、外部機器が接続された２つの端子間を仮想短絡状態に設定するための仮想短絡回路を有し、上記外部機器の状態を検出する状態検出回路と、上記仮想短絡回路により上記仮想短絡状態に設定したときに上記状態検出回路から第１の電圧値を検出し、上記仮想短絡回路により上記仮想短絡状態に設定しないときに上記状態検出回路から第２の電圧値を検出し、上記第１及び第２の電圧値に基づいて、上記２つの端子間の短絡状態、上記端子の少なくとも一方と上記外部機器との間の断線状態、上記外部機器の作動状態、上記外部機器の非作動状態を判定する制御部とを備えていることを特徴としている。
【００１１】
また、請求項２記載の発明は、請求項１記載の火災受信機に係り、上記外部機器は、マイクスイッチを備え、音声メッセージにより火災の報知、避難誘導を行うための非常放送設備であって、上記マイクスイッチが押下されるときには第１の出力電圧値を出力し、上記マイクスイッチが押下されないときには第２の出力電圧値を出力することを特徴としている。
【００１２】
また、請求項３記載の発明に係る火災受信機における外部機器の状態検出プログラムは、コンピュータを請求項１又は２記載の上記制御部として機能させることを特徴としている。
【００１３】
【発明の実施の形態】
図２は、この発明の実施の形態における火災受信機２１を適用した火災警報システムの構成を示すブロック図である。
この例の火災警報システムは、火災受信機２１と、複数の地区ベル２２と、複数の火災感知器２３と、非常放送設備２４とから構成されている。
火災受信機２１は、例えば、ビルの管理室等に設置され、火災警報制御機能、外部機器の状態検出機能、各種の試験機能等を有している。
【００１４】
火災警報制御機能は、ビル内の各階各所に設置された火災感知器２３から火災感知信号が供給されることにより、表示部３９に火災発生地区を表示したり、音響部３８を作動させたり、関係箇所の地区ベル２２を鳴動させる等の発生した火災の警報を発する機能である。外部機器の状態検出機能は、外部機器として接続される非常放送設備２４を構成するマイクスイッチＳＷ（図１参照）が押下された状態（非常放送設備２４の作動状態）、火災受信機１の外部機器接続端子Ｔ１又はＴ２（図１参照）と非常放送設備２４との間を接続する信号線の断線状態、外部機器接続端子Ｔ１と外部機器接続端子Ｔ２との間の短絡状態、及び非常放送設備２４の非作動状態（マイクスイッチＳＷが押下されていない平常状態）を常時監視する機能である。このうち、非常放送状態（非常放送設備２４の作動状態）は、火災発生時に、上記したマイクスイッチＳＷが管理員等により押下されることにより、予め作成された音声メッセージや管理員等の生の声によって各所に配設された非常用スピーカ（図示略）から火災を報知したり、避難を誘導したりする場合の状態である。
【００１５】
各種の試験機能としては、例えば、遠隔試験機能や火災試験機能がある。遠隔試験機能とは、作業者が試験的に、火災感知器２３に熱源を近づける代わりに、火災感知器２３が自己の機能を作動させて、これらが正常に火災感知信号を出力するか否か、出力された火災感知信号が火災受信機２１に正常に伝送されるか否かを確認する機能である。一方、火災試験機能とは、火災受信機２１の内部において、選択された回線から火災感知信号が擬似的に供給されたとして、自己が正常に動作しているか否か、例えば、選択された回線で火災が発生したことを表示する機能や表示内容などのデータ設定に関する機能などが正常に動作しているか否かを確認する機能である。ここで、回線とは、火災感知器２３の設置場所をいい、例えば、１階の各所に配置された複数の火災感知器２３は１回線に属し、２階の各所に配置された複数の火災感知器２３は２回線に属し、ｎ（ｎは自然数）階の各所に配置された複数の火災感知器２３はｎ回線に属する。
【００１６】
各地区ベル２２は、ビルの各階各所に設置され、火災受信機２１から稼働電流が供給されることにより、鳴動して火災の発生をビル内の滞在者に報知する。各火災感知器２３は、例えば、温度センサ等のように熱式に火災が発生したことを感知したり、光電式センサやイオン化式センサ等のように煙式に火災が発生したことを感知したり、赤外線センサや紫外線センサ等のように炎式に火災が発生したことを感知して、火災感知信号を出力する。非常放送設備２４は、その回路構成は後述するが、マイクスイッチＳＷを有し、マイクスイッチＳＷが押下されている間地区ベルの鳴動を停止させるための信号を出力する。
【００１７】
火災受信機２１は、制御部３１と、プログラムメモリ３２と、作業用メモリ３３と、データメモリ３４と、地区ベル駆動回路３５１〜３５ｎと、火災検出回路３６１〜３６ｎと、状態検出回路３７と、主音響装置を兼ねた音響部３８と、表示部３９と、操作部４０と、通話回路４１と、送受話器４２とから構成されている。制御部３１は、マイクロプロセッサ（ＭＰＵ）等からなり、プログラムメモリ３２に記憶された各種プログラムを実行することにより、上記した火災警報制御機能、非常放送機能、各種の試験機能等を実行し、火災受信機２１の内部及び火災警報システム全体を制御する。すなわち、例えば、この発明の実施の形態の特徴である外部機器の状態検出機能を例にとると、外部機器の状態検出プログラムがプログラムメモリ３２から読み出されて制御部３１に読み込まれ、制御部３１の動作を制御する。制御部３１は、外部機器の状態検出プログラムが起動されると、外部機器の状態検出プログラムの制御により、後述する外部機器の状態検出処理を実行するのである。
【００１８】
プログラムメモリ３２は、ＰＲＯＭ、ＥＰＲＯＭ、ＥＥＰＲＯＭ、あるいはフラッシュメモリ等の半導体メモリからなり、上記した制御部３１が実行すべき各種プログラムが予め記憶されている。作業用メモリ３３は、ＳＲＡＭ、ＤＲＡＭ等の半導体メモリからなり、制御部３１が上記した各種プログラムを実行する際に作業用として用いられる。データメモリ３４は、ＰＲＯＭ、ＥＰＲＯＭ、ＥＥＰＲＯＭ、あるいはフラッシュメモリ等の半導体メモリからなり、火災警報システム全体が初期動作状態で動作するのに必要な初期データが予め記憶されていたり、作業者により設定された各種データが記憶される。
【００１９】
地区ベル駆動回路３５１〜３５ｎは、制御部３１から選択されると、対応する地区ベル２２に稼働電流を供給する。火災検出回路３６１〜３６ｎは、対応する火災感知器２３から火災感知信号が供給されると、その旨を制御部３１に通知する。状態検出回路３７は、制御部３１の制御の下、上記した非常放送状態、短絡状態、断線状態、平常状態を常時監視する。なお、状態検出回路３７の回路構成については後述する。音響部３８は、制御部３１が火災警報制御機能を実行することにより供給する音響信号に基づいて、火災の発生をアラーム又は音声で報知したり、外部機器の状態検出機能を実行することにより供給される異常信号に基づいて異常の発生をアラーム又は音声で報知する。表示部３９は、図示しないが、発光ダイオード（ＬＥＤ；Ｌｉｇｈｔ  Ｅｍｉｔｔｉｎｇ  Ｄｉｏｄｅ）や電球等からなる複数個の表示灯等を有している。
【００２０】
操作部４０は、図示しないが、保守設定中に「蓄積解除」、「試験復旧」、「火災試験」等の機能を選択するための選択スイッチ、選択された機能を実行させるための実行スイッチ、警報音を停止させるための主音響停止スイッチや異常警報音停止スイッチ、地区ベルの鳴動を一時停止させるための地区音響停止スイッチ、火災・蓄積状態から通常の監視状態に復旧させるための火災復旧スイッチ等を有し、管理員や作業者により操作される。通話回路４１は、制御部３１の制御の下、図示せぬ通話線上を伝送される音声信号及び送受話器４２から供給される音声信号を処理して、この火災受信機２１が設置された管理室等に駐在し送受話器４２を操作する管理員を、ビルの各所に居る滞在者と通話させる。
【００２１】
次に、火災受信機２１を構成する状態検出回路３７と、非常放送設備２４の構成について図１に示す回路図を参照して説明する。状態検出回路３７は、ＰＮＰ型のバイポーラのトランジスタＱ１〜Ｑ３と、抵抗Ｒ１〜Ｒ９と、コンデンサＣ１と、サージアブソーバＳＡと、ツェナーダイオードＺＤとから構成されている。トランジスタＱ１並びにＱ２及び抵抗Ｒ１並びにＲ２は、電流制限回路５１を構成しており、１００Ｖの商用電源から生成された直流の電源電圧ＶＣＣ（例えば、２４Ｖ）と、外部機器接続端子Ｔ１との間に挿入されている。電流制限回路５１は、非常放送設備２４及び状態検出回路３７を構成する他の回路素子に過剰な電流が流れるのを防止する機能を有している。なお、電流制限回路５１は、ヒューズにより構成しても良い。
【００２２】
サージアブソーバＳＡは、例えば、放電ギャップ、カーボンアレスタ、あるいはＳｉ、ＳｉＣ、ＺｎＯ等からなるバリスタで構成されている。サージアブソーバＳＡは、非常放送設備２４を構成するマイクスイッチＳＷを押下する管理員が帯電している静電気又は雷の発生により印加される高電圧から状態検出回路３７を保護するためのものである。抵抗Ｒ３は、一端が外部機器接続端子Ｔ２に接続され、電流制限に用いられる。抵抗Ｒ４及びＲ５は、抵抗Ｒ３の他端に出現した検出電圧ＶＤを所定の分圧比で分圧して分圧電圧ＶＤＤを生成する。コンデンサＣ１は、分圧電圧ＶＤＤに含まれるノイズを除去し、分圧電圧ＶＤＤを安定化させるためのものである。抵抗Ｒ６は、制御部３１に入力される電流を制限して、制御部３１に分圧電圧ＶＤＤ１を供給する。
【００２３】
制御部３１は、上記したように、例えば、ＭＰＵで構成され、内部にインタフェースとしてＡＤ変換器を有しており、アナログの分圧電圧ＶＤＤ１をデジタルの分圧電圧データに変換した後、この分圧電圧データの値に基づいて後述する外部機器の状態検出処理を実行する。この外部機器の状態検出処理を実行する際、制御部３１は、制御信号ＳＣを出力する。状態検出回路３７を構成する、トランジスタＱ３と、抵抗Ｒ７〜Ｒ９とは、仮想短絡回路５２を構成しており、制御部３１から供給される制御信号ＳＣが”Ｌ”レベルの間、外部機器接続端子Ｔ１と外部機器接続端子Ｔ２との間を一時的に仮想短絡状態に設定する。つまり、詳細は後述するが、検出電圧ＶＤを一時的に外部機器接続端子Ｔ１，Ｔ２間が短絡した状態で入力される電圧に設定する。ツェナーダイオードＺＤは、ノイズ防止用である。また、外部機器接続端子Ｔ１と外部機器接続端子Ｔ２との間には、非常放送設備２４が接続されている。非常放送設備２４は、抵抗ＲＥ１と抵抗ＲＥ２とが直列接続されて外部機器接続端子Ｔ１と外部機器接続端子Ｔ２との間に接続されているとともに、抵抗ＲＥ１の両端にマイクスイッチＳＷが並列接続されている。この非常放送設備２４は、外部機器接続端子Ｔ１を介して、電源電圧ＶＣＣが供給されている。
ここで、抵抗Ｒ１〜Ｒ９、ＲＥ１及びＲＥ２の値の具体例を示す。電源電圧ＶＣＣが２４Ｖである場合、抵抗Ｒ１〜Ｒ９、ＲＥ１及びＲＥ２の値は、例えば、それぞれ順に、１ｋΩ、４７Ω、１５Ω、１５０ｋΩ、２０ｋΩ、１００ｋΩ、２ｋΩ、１００ｋΩ、１００ｋΩ、２．４ｋΩ、５１０Ωとする。
【００２４】
次に、上記構成の火災受信機における外部機器の状態検出処理について、図３に示すフローチャート及び図４に示す概念図を参照して説明する。まず、制御部３１は、図３に示すステップＳＰ１の処理へ進み、仮想短絡処理（仮想短絡状態に設定）を行う、すなわち、制御信号ＳＣを通常の”Ｈ”レベルから”Ｌ”レベルへ変化させて状態検出回路３７に供給した後、ステップＳＰ２へ進む。これにより、仮想短絡回路５２を構成するトランジスタＱ３がオフ状態となる。このとき、外部機器接続端子Ｔ１又は外部機器接続端子Ｔ２と非常放送設備２４とを接続する２本の信号線のうちの少なくとも一方が断線状態にある場合を除いて、「（抵抗Ｒ４＋抵抗Ｒ５）＞＞（抵抗ＲＥ１＋抵抗ＲＥ２）」の関係、すなわち、抵抗ＲＥ１と抵抗ＲＥ２の合成抵抗値が無視できる関係が成り立つことから、検出電圧ＶＤは、ほぼ電源電圧ＶＣＣとなる。つまり、検出電圧ＶＤは、外部機器接続端子Ｔ１，Ｔ２間がほぼ短絡した状態で入力される電圧に設定される。この検出電圧ＶＤは、抵抗Ｒ４及びＲ５において分圧され、分圧電圧ＶＤＤとなり、抵抗Ｒ６を経て分圧電圧ＶＤＤ１として制御部３１に入力される。このように、抵抗ＲＥ１と抵抗ＲＥ２の合成抵抗値より抵抗Ｒ４と抵抗Ｒ５の合成抵抗値がはるかに大きく、抵抗ＲＥ１及び抵抗ＲＥ２では電圧降下はほとんど発生しないため、短絡状態と同様の電圧、つまり、「外部機器接続端子Ｔ１の電圧＝外部機器接続端子Ｔ２の電圧」となるため、仮想的に外部機器接続端子Ｔ１と外部機器接続端子Ｔ２とが短絡した状態を作り出すことができる。
【００２５】
ステップＳＰ２では、制御部３１は、分圧電圧ＶＤＤ１を内部のＡＤ変換器でデジタルの分圧電圧データに変換し、その分圧電圧データをＡ値として、内部のメモリ又は作業用メモリ３３に記憶した後、ステップＳＰ３へ進む。ステップＳＰ３では、制御部３１は、仮想短絡解除処理（仮想短絡状態の解除）を行う、すなわち、制御信号ＳＣを”Ｌ”レベルから”Ｈ”レベルへ変化させて状態検出回路３７に供給した後、ステップＳＰ４へ進む。これにより、仮想短絡回路５２を構成するトランジスタＱ３がオン状態となるので、検出電圧ＶＤは、現在の外部機器接続端子Ｔ１と外部機器接続端子Ｔ２との間の状態に応じた電圧となる。したがって、この検出電圧ＶＤは、抵抗Ｒ４及びＲ５において分圧され、分圧電圧ＶＤＤとなり、抵抗Ｒ６を経て分圧電圧ＶＤＤ１として制御部３１に入力される。すなわち、外部機器接続端子Ｔ１又は外部機器接続端子Ｔ２と非常放送設備２４とを接続する２本の信号線のうちの少なくとも一方が断線状態にある場合は、電源電圧ＶＣＣに基づく電圧が外部機器接続端子Ｔ２に入力されないため、検出電圧ＶＤは、０Ｖとなる。
また、マイクスイッチＳＷが押下されていない平常状態にある場合は、検出電圧ＶＤは、「抵抗Ｒ７／（抵抗ＲＥ１＋抵抗ＲＥ２＋抵抗Ｒ７）×電源電圧ＶＣＣ」となる。この場合、検出電圧ＶＤは、電源電圧ＶＣＣの約０．４倍となる。
さらに、マイクスイッチＳＷが押下された非常放送状態にある場合は、検出電圧ＶＤは、「抵抗Ｒ７／（抵抗ＲＥ２＋抵抗Ｒ７）×電源電圧ＶＣＣ」となる。この場合、検出電圧ＶＤは、電源電圧ＶＣＣの約０．８倍となる。
【００２６】
ステップＳＰ４では、制御部３１は、分圧電圧ＶＤＤ１を内部のＡＤ変換器でデジタルの分圧電圧データに変換し、その分圧電圧データをＢ値として、内部のメモリ又は作業用メモリ３３に記憶した後、ステップＳＰ５へ進む。ステップＳＰ５では、制御部３１は、内部のメモリ又は作業用メモリ３３からＢ値を読み出し、Ｂ値が０であるか否かを判断する。この判断結果が「ＹＥＳ」の場合には、制御部３１は、ステップＳＰ６へ進む。ステップＳＰ６では、制御部３１は、外部機器接続端子Ｔ１又は外部機器接続端子Ｔ２と非常放送設備２４とを接続する２本の信号線の少なくとも一方が断線状態にあると判定し、例えば、表示部３９を構成する「異常灯」及び「非常放送中灯」を点滅させたり、音響部３８から異常であることを示す音響を鳴動させた後、一連の処理を終了する。なお、ステップＳＰ２におけるＡ値が０である場合にも、上記した断線状態であると判断することができる。
【００２７】
一方、ステップＳＰ５の判断結果が「ＮＯ」の場合、すなわち、Ｂ値が０でない場合には、制御部３１は、ステップＳＰ７へ進む。ステップＳＰ７では、制御部３１は、内部のメモリ又は作業用メモリ３３からＡ値を読み出し、Ｂ値をＡ値で除算し、その結果をＣ値として、内部のメモリ又は作業用メモリ３３に記憶した後、ステップＳＰ８へ進む。ステップＳＰ８では、制御部３１は、Ｃ値が「０．０」から「１．０」までのいずれの値であるかを判定する。そして、Ｃ値が「０．０」から「０．６」までの値をとる場合には、制御部３１は、ステップＳＰ９へ進む。ステップＳＰ９では、制御部３１は、平常状態にあると判定し、引き続き監視状態を続行するために、一連の処理を終了する。また、Ｃ値が「０．６」から「０．９」までの値をとる場合には、制御部３１は、ステップＳＰ１０へ進む。ステップＳＰ１０では、制御部３１は、マイクスイッチＳＷが押下された非常放送状態にあると判定し、地区ベル２２の鳴動を停止させるとともに、表示部３９を構成する「非常放送中灯」を点灯させた後、一連の処理を終了する。さらに、Ｃ値が「０．９」から「１．０」までの値をとる場合には、制御部３１は、ステップＳＰ１１へ進む。ステップＳＰ１１では、制御部３１は、外部機器接続端子Ｔ１と外部機器接続端子Ｔ２との間が短絡状態にあると判定し、表示部３９を構成する「異常灯」及び「非常放送中灯」を点滅させたり、音響部３８から異常であることを示す音響を鳴動させた後、一連の処理を終了する。
【００２８】
外部機器接続端子Ｔ１と外部機器接続端子Ｔ２との間の外部インピーダンスは、短絡状態である場合が０［Ω］、平常状態である場合が（ＲＥ１＋ＲＥ２）［Ω］、非常放送状態である場合がＲＥ２［Ω］、断線状態である場合が無限大（∞）である。そこで、各状態における外部インピーダンスの相違を利用して、この例の構成においては、外部機器接続端子Ｔ２を仮想短絡状態としてその際に得られる分圧電圧ＶＤＤ１に対応した分圧電圧データ（Ａ値）で、外部機器接続端子Ｔ２の仮想短絡状態を解除した際に得られる分圧電圧ＶＤＤ１に対応した分圧電圧データ（Ｂ値）を除算した結果（Ｃ値）に基づいて、図４に示すように、上記４つの状態を検出している。したがって、この例の構成によれば、非常放送設備２４の状態をより正確に検出したいと要望する使用者の要望に応えることができる。
【００２９】
つまり、非常放送設備２４は、図１から分かるように、マイクスイッチＳＷと抵抗ＲＥ１及びＲＥ２により構成されているため、１００Ｖの商用電源の電圧が変動したり、バッテリが自然放電又は経時変化によりその出力電圧値が低下したり、商用電源又はバッテリから供給される電源電圧ＶＣＣが変動する場合であっても、短絡状態におけるＣ値を１．０として比率を算出すると、抵抗Ｒ１〜Ｒ９、ＲＥ１及びＲＥ２の値が上記した具体例をとるならば、短絡状態、非常放送状態及び平常状態のＣ値の比率は、ほぼ式（１）に示すものとなる。また、断線状態はＡ値及びＢ値が０Ｖとなることで確認することができる。したがって、上記した電源電圧の変動やバッテリの出力電圧値が低下して、電源電圧ＶＣＣが変動した場合であっても、断線状態、短絡状態、非常放送状態及び平常状態を検出することができる。
１．０：０．８：０．４  ・・・（１）
そして、理想的には、平常状態、非常放送状態、短絡状態におけるＣ値は、それぞれ「０．４」、「０．８」、「１．０」であり、式（１）に示すものであるが、Ｃ値を算出する過程におけるＡ値及びＢ値を検出する時間差により電源電圧ＶＣＣに若干の変動が発生したとしても、十分正確に判断することができる許容範囲を持たせて図４に示す値となる。
【００３０】
なお、Ａ値及びＢ値は、同一の経路、すなわち、トランジスタＱ１及びＱ２、抵抗Ｒ１〜Ｒ６及びコンデンサＣ１を経て検出されているので、これらの回路素子の値にバラツキがあった場合であっても、それらのバラツキはＡ値でＢ値を除算してＣ値を得る過程において除去される。したがって、高精度の部品、例えば、コンパレータ等を用いる必要がなく、状態検出回路３７を安価に構成することができる。
【００３１】
以上、この実施の形態を図面を参照して詳述してきたが、具体的な構成はこの実施の形態に限られるものではなく、この発明の要旨を逸脱しない範囲の設計の変更等があってもこの発明に含まれる。
例えば、上述の実施の形態においては、トランジスタＱ１〜Ｑ３をＮＰＮ型のバイポーラトランジスタで構成する例を示したが、これに限定されず、トランジスタＱ１〜Ｑ３は、ＰＮＰ型のバイポーラトランジスタ、電界効果トランジスタ（ＦＥＴ）、ＮチャネルのＭＯＳトランジスタ、あるいはＰチャネルのＭＯＳトランジスタで構成しても良い。この場合、各トランジスタに応じて抵抗等の回路構成が異なってくることは言うまでもない。
【００３２】
また、上述の実施の形態においては、外部機器として、マイクスイッチＳＷと抵抗ＲＥ１及びＲＥ２とにより構成される非常放送設備２４を適用する例を示したが、これに限定されず、外部機器はリレーでも良く、要するに、リレーのオン・オフ時（外部機器の作動状態及び非作動状態時）に断線状態及び短絡状態を示す電圧信号以外の２値の電圧信号又は２値の電流信号を電流電圧変換した後の２値の電圧信号を出力するものであればどのようなものでも良い。
また、上述の実施の形態においては、ステップＳＰ１及びＳＰ２の処理でまずＡ値を検出した後、ステップＳＰ３及びＳＰ４の処理でＢ値を検出する例を示したが、これに限定されず、まずＢ値を検出した後、Ａ値を検出するように構成しても良い。
【００３３】
【発明の効果】
この発明は以上説明したように、外部機器が接続された２つの端子間を仮想短絡状態に設定するための仮想短絡回路を有し、外部機器の状態を検出する状態検出回路と、仮想短絡回路により仮想短絡状態に設定したときに状態検出回路から第１の電圧値を検出し、仮想短絡回路により仮想短絡状態に設定しないときに状態検出回路から第２の電圧値を検出し、第１及び第２の電圧値に基づいて、２つの端子間の短絡状態、端子の少なくとも一方と外部機器との間の断線状態、外部機器の作動状態、外部機器の非作動状態を判定する制御部とを備えている。したがって、簡単かつ安価な構成で、電源電圧が変動した場合であっても、外部機器の様々な状態を正確に検出することができる。
【図面の簡単な説明】
【図１】この発明の実施の形態における火災受信機を構成する状態検出回路と、非常放送設備の構成を示す回路図である。
【図２】同火災受信機を適用した火災警報システムの構成を示すブロック図である。
【図３】同火災受信機における外部機器の状態検出処理を説明するためのフローチャートである。
【図４】同火災受信機における外部機器の状態検出処理を説明するための概念図である。
【図５】従来の火災受信機及びこれに接続される地区音響鳴動停止装置、地区ベル並びに非常放送設備の構成を示す概略回路図である。
【符号の説明】
２１  火災受信機、２２  地区ベル、２３  火災感知器、２４  非常放送設備、３１  制御部、３２  プログラムメモリ、３３  作業用メモリ、３４  データメモリ、３５１〜３５ｎ  地区ベル駆動回路、３６１〜３６ｎ  火災検出回路、３７状態検出回路、３８  音響部、３９  表示部、４０  操作部、４１  通話回路、４２  送受話器、５１  電流制限回路、５２  仮想短絡回路、Ｃ１  コンデンサ、Ｒ１〜Ｒ９，ＲＥ１，ＲＥ２  抵抗、Ｑ１〜Ｑ３  トランジスタ、ＳＡ  サージアブソーバ、ＳＣ  制御信号、ＳＷ  マイクスイッチ、Ｔ１，Ｔ２  外部機器接続端子、ＶＣＣ  電源電圧、ＶＤ  検出電圧、ＶＤＤ，ＶＤＤ１  分圧電圧、ＺＤ  ツェナーダイオード。
【図１】
2004302966.tif 000003
【図２】
2004302966.tif 000004
【図３】
2004302966.tif 000005
【図４】
2004302966.tif 000006
【図５】
2004302966.tif 000007